(57)【要約】      （修正有）【課題】電気配線において、断線又は切断等の復旧又は配線を一時的に切断する作業において短時間で効率よく且つ安全性に、延長距離を自在に設定できる電気配線中継用接続具を提供する。【解決手段】中継電線１の両端末に接続具を設け、雄型接触子で構成している。圧接ソケット２は圧接腕をハンドルの作用で対象電線を確保し圧接によって電導接触子で接触させる。この圧接ソケット２は雌型接触子の構成となっており中継電線１両端末の接続具の雄型接触子と接続する。又中継距離によって距離延長時には中継器３を介して中継電線１を連結する。【選択図】図２
0003153482.tif 000002
【実用新案登録請求の範囲】
【請求項１】
雄型構造の接続具を両端末に有する連結延長を可能とする中継電線と、その片端末に両端末が雌型構造の中継具を備え、対面側にも中継電線を施す事を一対とし、その両端末に先端に電線を確保し後部に中継電線の接続具を接続する接続端を有する、終端具を設け、これら各具は樹脂で覆われた絶縁構造を特徴とする、電気配線中継用接続具。
【請求項２】
中継電線の両端末に接続する終端具は、先端部に対象となる電線を圧接し電導接触子に接触する構造で後部は雌型接触子の、樹脂で覆う絶縁構造を特徴とする請求項１の電気配線中継用接続具。
【考案の詳細な説明】
【考案の詳細な説明】
【産業上の利用分野】
【０００１】  この考案は、電気配線において、断線又は切断等が発生した場合、その部分の復旧までに、一時的中継を取ることが出来る。又は、配線を一時的に切断する必要性が発生した場合等、断線箇所以降に停電することなく、送電出来る、電気配線中継用接続具に関するものである。
【背景技術】
【０００２】  通電部が露出した接続具があり、電気伝達電線器具は接続にボルト止めを行っていた。又、は絶縁被覆電線の絶縁被覆をはぎ取って接続していた。この様な接続距離は１ｍ未満で限定的であった。
【考案が解決しようとする課題】
【０００３】  次の欠点があった。
１．  感電の危険性があった。
２．  絶縁手袋等絶縁具が必要であった。
３．  接続に被覆をはぎ取る必要があった。
４．  停電を余儀なくされる場合があった。
５．  接続具の他に工具を必要とした。
６．  復旧に時間を要した。
７．  中継距離が限定的であった。
本考案はこのような欠点を解決するためになされたものである。
【課題を解決するための手段】
【０００４】  本考案の電気配線中継用接続具は、中継電線の両端に接続具を設け、これらの両端末は共に雄型構造で、中継具を介する事により延長に必要距離を得られる機能を有し、これらの両先端に対象となる配線を確保する終端具を設けたことを特徴とする。
【作用】
【０００５】  中継を必要とする箇所の配線２点に終端具を接続し、中継電線の接続具をそれぞれ接続する。且つ中継の距離が長い場合、中継電線の一方の接続具に中継具を介し中継電線を連結して延長を構築する。
【実施例】
【０００６】  以下実施例について説明する
（イ）中継電線（１）は耐熱・難燃・柔軟性ビニール絶縁で耐圧６００Ｖ、被覆外形６．９ｍｍの直径を有し、導体サイズ２２ｍｍ２及び長さ８０ｃｍの電線（４）と、両端末に雄型の接続具（５）を設けた構成である。
（ロ）両端末の雄型の接続具（５）は電線（４）の導体（１９）端末に雄型接触子（２１）を半田付け接続され、これをガラス樹脂強化ビニールで成型された解除環（２２）及び解除環（２２）を可動範囲内で留め置く止め環（２４）を備えたプラグ本体（２３）に挿入して雄型接触子固定ねじ（１７）によって固定する。又止め環（２４）も止め環固定ねじ（１８）で固定する。雄型接触子（２１）の先端部は雌型接触子（１０）を挿入する空間を設けている。プラグ本体（２３）は先端部が後部より肉厚でありソケット側のプラグ止め具（８）に引っかける構造になっており、解除環（２２）の前進限界も兼ねている。解除環（２２）はソケットから引き抜く際、ソケット側に押す事によりソケット側のプラグ止め具（８）を押し上げプラグ本体（２３）から外れソケットから離脱する役目をするものである。止め環（２４）からプラグ本体（２３）の終端部及び電線（４）にかけては収縮チューブ（２０）を被着させている。これらで中継電線（１）を形成している。
（ハ）ソケット本体（６）は芯部に内径６ｍｍの空洞をもち先端部に雌ねじを施した管状導電性金属の雌型接触環（１０）備えたガラス樹脂強化ビニールで成型されている。
後部に中継電線（１）の接続具（５）を差し込む空間を設け、接続具（５）を確保する為のプラグ止め具（８）を底面に配置する。又芯部の雌型接触環（１０）の雌ねじ部に先端が円錐形、以下雄ねじの電導接触子（７）を設け、これは可動式になっており対象電線の外形に会わせ微調整出来る。調節完了後の移動防止の為、電導接触子（７）を固定する電導接触子固定ねじ（９）を設ける。これはソケット本体（６）の前部底面に配置する。ソケット本体（６）の上面中央に逆台形状のレールが配してありこれに圧接腕（１６）後部下面の台形状の溝を通してスライドさせる構造である。この圧接腕（１６）の先端部は電線を確保する構造で、最後部にはハンドル（１１）に設けられたハンドル止め具（１２）を受ける構造になっており、その直下に連動板（１３）を取り付けるピン（１４）を設ける。このピンに連動板（１３）の一方を差し込みもう一方はハンドル（１１）の先端から２番目のピン（１４）を差し込む。ハンドル（１１）の中央部にハンドル止め具（１２）を設け、これはスライドできる構造とする。又ハンドル（１１）の先端部はソケット本体（６）に設ける、ハンドル受け台（１５）とピン（１４）によって接合する。この構造からハンドル（１１）を上げると連動板（１３）を介して圧接腕（１６）を押し出し対象電線を確保する。ハンドル（１１）を下げると圧接腕（１６）が対象電線を引き寄せ電導接触子（７）に接触する。下げたハンドル（１１）はハンドル止め具（１２）をスライドさせて圧接腕（１６）最後部に引っかけて戻らなくさせる構成である。
（ニ）圧接ソケット（２）が対象電線を確保すると、中継電線（１）の両端末の接続具（５）をそれぞれ圧接ソケット（２）に差し込み電気配線の中継が構築できる。但しこの中継距離が不足の場合、芯部に内径６ｍｍの空洞をもち管状導電性金属の中継雌型接触環（２６）備え、ガラス樹脂強化ビニールで成型された中継器本体（２７）、これは両側に中継電線（１）の接続具（５）を挿入する空間を有した左右対称構造であって且つプラグ中継止め具（２５）を双方向に設けた中継器（３）を使用。中継電線（１）を接合する事によって延長を計る。中継電線（１）と中継器（３）の連結によって延長距離を自在に設定する。
（ホ）中継電線（１）の端末の接続具（５）は同型であるため挿入方向を選ぶ必要がないことを特徴とする。
【考案の効果】
【０００７】  対象電線の種類を８ｍｍ２〜２２ｍｍ２まで使用できワンタッチで接続が可能である。操作性がよく安全性を考慮した構造で他の工具類を必要としない。中継器を介することによって中継電線を連結し長距離の中継を可能にした電気配線中継用接続具を提供することが出来る。
【図面の簡単な説明】
【図１】本考案の電気配線中継用接続具の概要を説明する図である。
【図２】本考案の電気配線中継用接続具の使用形態を概略的に示す図である。
【図３】本考案の電気配線中継用接続具に係る中継電線及び接続具の一部断面図
【図４】本考案の電気配線中継用接続具に係る圧接ソケットの断面図
【図５】本考案の電気配線中継用接続具に係る中継器の一部断面図
【符号の説明】      １．      中継電線
２．      圧接ソケット
３．      中継器
４．      電線
５．      接続具
６．      ソケット本体
７．      電導接触子
８．      プラグ止め具
９．      電導接触子固定ねじ
１０．    雌型接触環
１１．    ハンドル
１２．    ハンドル止め具
１３．    連動板
１４．    ピン
１５．    ハンドル受け台
１６．    圧接腕
１７．    雄型接触子固定ねじ
１８．    止め環固定ねじ
１９．    導体
２０．    収縮チューブ
２１．    雄型接触子
２２．    解除環
２３．    プラグ本体
２４．    止め環
２５．    プラグ中継止め具
２６．    中継雌型接触環
２７．    中継器本体
【図１】
0003153482.tif 000003
【図２】
0003153482.tif 000004
【図３】
0003153482.tif 000005
【図４】
0003153482.tif 000006
【図５】
0003153482.tif 000007